(57)【要約】【課題】  その目的は伝熱管を増やすことなく、簡単な構造でもって排ガスから熱を回収することができるようにする。【解決手段】  ボイラや給湯器からの排ガスＧによってボイラや給湯器へ供給される補給水Ｗを予熱するエコノマイザ２の下流側に設けられ、エコノマイザ２を通過した排ガスＧとエコノマイザ２へ供給される補給水Ｗとの間で熱交換を行うスクラビング排熱回収装置４と、スクラビング排熱回収装置４へ補給水Ｗを供給する上流側給水管５と、スクラビング排熱回収装置４内で予熱された補給水Ｗをエコノマイザ２へ導く下流側給水管６とを備えた排熱回収装置であって、前記スクラビング排熱回収装置４内でエコノマイザ２を通過した排ガスＧと上流側給水管５により供給された補給水Ｗとを直接接触させて排ガスＧと補給水との間で熱交換を行う構成とする。【選択図】      図１
2005164118.tif 000002
【特許請求の範囲】
【請求項１】
ボイラや給湯器からの排ガスによってボイラや給湯器へ供給される補給水を予熱するエコノマイザの下流側に設けられ、エコノマイザを通過した排ガスとエコノマイザへ供給される補給水との間で熱交換を行うスクラビング排熱回収装置と、スクラビング排熱回収装置へ補給水を供給する上流側給水管と、スクラビング排熱回収装置内で予熱された補給水をエコノマイザへ導く下流側給水管とを備えた排熱回収装置であって、前記スクラビング排熱回収装置内でエコノマイザを通過した排ガスと上流側給水管により供給された補給水とを直接接触させて排ガスと補給水との間で熱交換を行うようにしたことを特徴とする排熱回収装置。
【請求項２】
排熱回収装置は、上流側給水管からエコノマイザへ補給水を供給する分岐給水管と、エコノマイザを通過した排ガスの温度を検出する排ガス温度センサーと、スクラビング排熱回収装置へ供給される補給水の温度を検出する給水温度センサーとを備えており、前記排ガス温度センサー及び給水温度センサーにより排ガスの温度と補給水の温度を夫々検出すると共に、ボイラや給湯器の運転条件から排ガスと補給水が熱交換した際の顕熱と潜熱の収支を算出し、補給水が排ガスから熱を回収できる場合には上流側給水管から補給水をスクラビング排熱回収装置内へ供給し、又、補給水が排ガスに熱を奪われる場合には分岐給水管から補給水をエコノマイザへ供給するように構成したことを特徴とする請求項１に記載の排熱回収装置。
【請求項３】
下流側給水管にスクラビング排熱回収装置を通過した補給水中の溶存ガスを分離する脱気装置を介設し、脱気装置内で溶存ガスを分離した補給水をエコノマイザへ供給するようにしたことを特徴とする請求項１又は請求項２に記載の排熱回収装置。
【請求項４】
スクラビング排熱回収装置を通過した排ガスの一部をパージガスとして脱気装置内へ導くと共に、脱気装置内で分離した溶存ガス及びパージガスをボイラのブロー水中へ曝気するようにしたことを特徴とする請求項３に記載の排熱回収装置。
【請求項５】
スクラビング排熱回収装置は、排ガスが流入するケーシングと、ケーシング内に流入した排ガス中へ補給水を噴霧する噴霧ノズルとを備えており、噴霧ノズルにより排ガス中へ補給水を微粒噴霧し、排ガスと補給水とを直接接触させて熱交換させるようにしたことを特徴とする請求項１、請求項２、請求項３又は請求項４に記載の排熱回収装置。
【請求項６】
スクラビング排熱回収装置は、排ガスが流入するケーシングと、ケーシング内に上下方向へ多段に配設され、補給水を貯留して流下させる複数のトレーとを備えており、補給水を最上段のトレーから最下段のトレーへ順次に流下させ、その間に排ガスと補給水とを直接接触させて熱交換させるようにしたことを特徴とする請求項１、請求項２、請求項３又は請求項４に記載の排熱回収装置。
【請求項７】
スクラビング排熱回収装置は、排ガスが流入するケーシングと、ケーシング内に配設され、ペレット状の固体を充填して成る充填層と、充填層へ補給水を噴霧する噴霧ノズルとを備えており、噴霧ノズルから充填層へ補給水を噴霧し、充填層内を流下する補給水と充填層内を底部から上部へ通過する排ガスとを充填層内で直接接触させて熱交換させるようにしたことを特徴とする請求項１、請求項２、請求項３又は請求項４に記載の排熱回収装置。
【発明の詳細な説明】
【技術分野】
【０００１】
本発明は、蒸気を発生させる貫流ボイラや循環ボイラ等の各種ボイラ、温水を発生させる温水ボイラや給湯器等に用いられるものであり、ボイラや給湯器から排出されてエコノマイザを通過した排ガスとエコノマイザへ供給されるボイラや給湯器の補給水とを直接接触させて排ガスと補給水との間で熱交換を行い、エコノマイザを通過した排ガスから熱を回収するようにした排熱回収装置に関するものである。
【背景技術】
【０００２】
一般に、ボイラ業界に於いては、ボイラから排出された排ガスが通過する排ガス通路にエコノマイザを設け、当該エコノマイザ内で排ガスによりボイラへ供給される補給水を予熱することによって、ボイラ効率を向上させることが広く行われている。例えば、エコノマイザ付の小型貫流ボイラのボイラ効率は約９５％である。又、高効率型の貫流ボイラとしては、排ガスの潜熱を回収する潜熱回収エコノマイザを搭載したものがあり、この潜熱回収エコノマイザ付の貫流ボイラはボイラ効率が１００％若しくはそれ以上となっている（例えば、特許文献１参照）。
【０００３】
前記潜熱回収エコノマイザは、排ガスの顕熱だけでなく、排ガス中の水蒸気が水になる際に放出する凝縮熱（潜熱）も回収できる構成となっているため、排ガスから多くの熱を回収することができ、ボイラの効率を向上させることができる。
【０００４】
然し乍ら、潜熱回収エコノマイザは、温度の低い排ガスから熱を回収しようとするため、単位面積当りの熱交換率が低下することになる。その結果、潜熱回収エコノマイザに於いては、伝熱面積を増大させなければならず、潜熱回収エコノマイザ自体が大型化することになる。
又、潜熱回収エコノマイザは、排ガス中の水分が凝縮して伝熱管等の伝熱部を腐食させることがあるため、伝熱部の腐食対策のために伝熱管を耐食性の材料で作製しなければならず、非常に高価な排熱回収装置となってしまう。
更に、潜熱回収エコノマイザは、熱吸収量を増大させるのに一般的にフィン付の伝熱管を使用して伝熱面積を大きくしているが、排ガスからの凝縮水がフィンの表面に膜を形成し、排ガスとの接触面積が阻害されて排熱回収性能の低下を招くことがある。
このように、潜熱回収エコノマイザを用いた排熱回収では、機器の大型化やコストアップを招いてしまうと云う問題が発生している。
【特許文献１】特開平１１−２４８１０５号公報
【発明の開示】
【発明が解決しようとする課題】
【０００５】
本発明は、このような問題点に鑑みて為されたものであり、その目的は伝熱管を増やすことなく、簡単な構造でもって排ガスから熱を回収することができるようにした排熱回収装置を提供することにある。
【課題を解決するための手段】
【０００６】
上記目的を達成するために、本発明の請求項１の発明は、ボイラや給湯器からの排ガスによってボイラや給湯器へ供給される補給水を予熱するエコノマイザの下流側に設けられ、エコノマイザを通過した排ガスとエコノマイザへ供給される補給水との間で熱交換を行うスクラビング排熱回収装置と、スクラビング排熱回収装置へ補給水を供給する上流側給水管と、スクラビング排熱回収装置内で予熱された補給水をエコノマイザへ導く下流側給水管とを備えた排熱回収装置であって、前記スクラビング排熱回収装置内でエコノマイザを通過した排ガスと上流側給水管により供給された補給水とを直接接触させて排ガスと補給水との間で熱交換を行うようにしたことに特徴がある。
【０００７】
本発明の請求項２の発明は、排熱回収装置が、上流側給水管からエコノマイザへ補給水を供給する分岐給水管と、エコノマイザを通過した排ガスの温度を検出する排ガス温度センサーと、スクラビング排熱回収装置へ供給される補給水の温度を検出する給水温度センサーとを備えており、前記排ガス温度センサー及び給水温度センサーにより排ガスの温度と補給水の温度を夫々検出すると共に、ボイラや給湯器の運転条件から排ガスと補給水が熱交換した際の顕熱と潜熱の収支を算出し、補給水が排ガスから熱を回収できる場合には上流側給水管から補給水をスクラビング排熱回収装置内へ供給し、又、補給水が排ガスに熱を奪われる場合には分岐給水管から補給水をエコノマイザへ供給するようにしたことに特徴がある。
【０００８】
本発明の請求項３の発明は、下流側給水管にスクラビング排熱回収装置を通過した補給水中の溶存ガスを分離する脱気装置を介設し、脱気装置内で溶存ガスを分離した補給水をエコノマイザへ供給するようにしたことに特徴がある。
【０００９】
本発明の請求項４の発明は、スクラビング排熱回収装置を通過した排ガスの一部をパージガスとして脱気装置内へ導くと共に、脱気装置内で分離した溶存ガス及びパージガスをボイラのブロー水中へ曝気するようにしたことに特徴がある。
【００１０】
本発明の請求項５の発明は、スクラビング排熱回収装置が、排ガスが流入するケーシングと、ケーシング内に流入した排ガス中へ補給水を噴霧する噴霧ノズルとを備えており、噴霧ノズルにより排ガス中へ補給水を微粒噴霧し、排ガスと補給水とを直接接触させて熱交換させるようにしたことに特徴がある。
【００１１】
本発明の請求項６の発明は、スクラビング排熱回収装置が、排ガスが流入するケーシングと、ケーシング内に上下方向へ多段に配設され、補給水を貯留して流下させる複数のトレーとを備えており、補給水を最上段のトレーから最下段のトレーへ順次に流下させ、その間に排ガスと補給水とを直接接触させて熱交換させるようにしたことに特徴がある。
【００１２】
本発明の請求項７の発明は、スクラビング排熱回収装置が、排ガスが流入するケーシングと、ケーシング内に配設され、ペレット状の固体を充填して成る充填層と、充填層へ補給水を噴霧する噴霧ノズルとを備えており、噴霧ノズルから充填層へ補給水を噴霧し、充填層内を流下する補給水と充填層内を底部から上部へ通過する排ガスとを充填層内で直接接触させて熱交換させるようにしたことに特徴がある。
【発明の効果】
【００１３】
本発明の排熱回収装置は、エコノマイザを通過した排ガスにボイラや給湯器へ供給される補給水を直接接触させて熱交換させる水噴霧式、トレー式若しくは充填層式のスクラビング排熱回収装置を備えている。即ち、本発明の排熱回収装置は、排ガスに補給水を直接噴霧して熱交換を行う水噴霧式のスクラビング排熱回収装置、トレーから流下する補給水に排ガスを直接接触させて熱交換を行うトレー式のスクラビング排熱回収装置若しくは充填層に補給水を噴霧して充填層内で排ガスと補給水を直接接触させて熱交換を行う充填層式のスクラビング排熱回収装置を備えているため、伝熱管を増やすことなく、比較的簡単な構造のスクラビング排熱回収装置でもって排ガスから熱を回収することができる。その結果、ボイラ効率の向上を図れると共に、エコノマイザ等の機器の大型化やコストアップを招くと云うこともない。
又、本発明の排熱回収装置は、エコノマイザを通過した排ガスの温度とスクラビング排熱回収装置へ供給される補給水の温度を夫々検出すると共に、ボイラや給湯器の運転条件から排ガスと補給水が熱交換した際の顕熱と潜熱の収支を算出し、補給水が排ガスから熱を回収できると判断した場合には補給水をスクラビング排熱回収装置内へ供給し、又、補給水が排ガスに熱を奪われると判断した場合には補給水を直接エコノマイザへ供給するようにしているため、スクラビング排熱回収装置で排ガスから熱を確実且つ有効的に回収することができる。
更に、本発明の排熱回収装置は、スクラビング排熱回収装置内で排ガスと補給水を直接接触させて熱交換を行う際に排ガス中の炭酸ガスや酸性成分が補給水に吸収されるため、炭酸ガスや酸性成分の大気中への放出量を緩和することができる。その後スクラビング排熱回収装置内の補給水を脱気装置を通してボイラや給湯器へ給水するようにしている。その結果、補給水は、排ガス中の酸素、炭酸ガス、酸性成分を吸収してｐＨ値が低下するため、スケールの原因となる補給水中の炭酸塩の一部や補給水中に炭酸水素イオンとして溶存している炭酸ガス成分が炭酸ガス化し、脱気装置によりボイラ等の腐食の原因となる補給水中の炭酸ガス及び酸素を確実に分離することができる。
加えて、本発明の排熱回収装置は、スクラビング排熱回収装置を通過した排ガスの一部をパージガスとして脱気装置内へ導くと共に、膜脱気装置で分離された溶存ガス及びパージガスをボイラのブロー水中へ曝気するようにしているため、脱気装置での炭酸ガス及び酸素の分離を促進することができると共に、ボイラから排出されるアルカリ性のブロー水を中和することができる。
【発明を実施するための最良の形態】
【００１４】
以下、本発明の実施の形態を図面に基づいて詳細に説明する。
図１は本発明の第１の実施の形態に係る排熱回収装置の概略系統図を示すものであり、当該排熱回収装置は、多管式貫流ボイラ１から排出されてエコノマイザ２を通過した排ガスＧが流れる排ガス通路３に設けたスクラビング排熱回収装置４と、スクラビング排熱回収装置４へ補給水Ｗを供給する上流側給水管５と、スクラビング排熱回収装置４内で予熱された補給水Ｗをエコノマイザ２へ導く下流側給水管６と、上流側給水管５から補給水Ｗをエコノマイザ２へ供給する分岐給水管７と、下流側給水管６に介設された脱気装置８と、下流側給水管６に介設されたブースターポンプ９と、下流側給水管６に介設された給水ポンプ１０と、上流側給水管５に介設された給水管用開閉弁１１と、分岐給水管７に介設された分岐給水管用開閉弁１１と、エコノマイザ２の下流側の排ガス通路３に設けた排ガス温度センサー１３と、上流側給水管５に設けた給水温度センサー１４と、給水管用開閉弁１１及び分岐給水管用開閉弁１２を開閉制御する制御装置１５等から構成されている。
尚、多管式貫流ボイラ１及びエコノマイザ２は、従来公知のものと同様構造に構成されており、ここではその詳細な説明を省略する。
【００１５】
前記スクラビング排熱回収装置４は、エコノマイザ２の下流側の排ガス通路３に介設されており、エコノマイザ２を通過した排ガスＧとエコノマイザ２から多管式貫流ボイラ１へ供給される補給水Ｗとを直接接触させて排ガスＧと補給水Ｗとの間で熱交換を行い、排ガスＧの顕熱及び潜熱により補給水Ｗを予熱するようにしたものである。
【００１６】
即ち、スクラビング排熱回収装置４は、排ガス通路３に接続される排ガスＧの入口１６ａ及び出口１６ｂを有し、エコノマイザ２を通過した排ガスＧが流入するケーシング１６と、ケーシング１６内に配設され、ケーシング１６内に流入した排ガスＧ中へ補給水Ｗを噴霧する噴霧ノズル１７とを備えており、噴霧ノズル１７から排ガスＧ中へ補給水Ｗを微粒噴霧し、排ガスＧと補給水Ｗとを直接接触させて排ガスＧと補給水Ｗとの間で熱交換を行うように構成されている。
又、スクラビング排熱回収装置４の噴霧ノズル１７には、スクラビング排熱回収装置４内へ補給水Ｗを供給する上流側給水管５が接続されている。この上流側給水管５には、上流側給水管５から補給水Ｗを直接エコノマイザ２へ導く分岐給水管７が接続されている。
更に、スクラビング排熱回収装置４のケーシング１６には、排ガスＧとの熱交換により予熱されてケーシング１６の下部に貯留された補給水Ｗをエコノマイザ２へ導く下流側給水管６が接続されている。この下流側給水管６には、ブースターポンプ９、脱気装置８及び給水ポンプ１０が夫々設けられている。
【００１７】
前記脱気装置８は、スクラビング排熱回収装置４内で排ガスＧとの直接接触により予熱された補給水Ｗが、多管式貫流ボイラ１やエコノマイザ２等の機器を腐食させる溶存ガス（炭酸ガス及び酸素）や酸性成分（硫黄分、窒素分等の燃料に含まれる酸性成分や燃焼で発生する酸性成分）を含んでいるため、補給水Ｗを多管式貫流ボイラ１等へ供給する際にこれらを補給水Ｗ中から分離するものである。この例では、脱気装置８には小型で安価な膜脱気装置が使用されている。膜脱気装置は、液体を透過させないが気体を透過させるガス透過膜（脱気膜）で内部を液相室と気相室とに仕切り、気相室を真空ポンプ１８で減圧することにより、液相室内に流入させた補給水Ｗ中の溶存ガス等を膜透過させて気相室中に移動させるものである。
【００１８】
そして、この排熱回収装置に於いては、排ガス通路３にエコノマイザ２を通過した排ガスＧの温度を検出する排ガス温度センサー１３を、又、上流側給水管５にスクラビング排熱回収装置４へ供給される補給水Ｗの温度を検出する給水温度センサー１４を夫々設け、更に、上流側給水管５に補給水Ｗの流れを止める給水管用開閉弁１１を、又、分岐給水管７に補給水Ｗの流れを止める分岐給水管用開閉弁１２を夫々設けており、前記排ガス温度センサー１３及び給水温度センサー１４により排ガスＧの温度と補給水Ｗの温度を夫々検出すると共に、ボイラや給湯器の運転条件から排ガスＧと補給水Ｗが熱交換した際の顕熱と潜熱の収支を算出し、補給水Ｗが排ガスＧから熱を回収できると判断した場合には制御装置１５により給水管用開閉弁１１及び分岐給水管用開閉弁１２を夫々開閉制御して上流側給水管５から補給水Ｗをスクラビング排熱回収装置４内へ供給し、又、補給水Ｗが排ガスＧに熱を奪われると判断した場合には制御装置１５により給水管用開閉弁１１及び分岐給水管用開閉弁１２を夫々開閉制御して分岐給水管７から補給水Ｗを直接エコノマイザ２へ供給するように構成されている。
【００１９】
即ち、前記排熱回収装置に於いては、排ガス温度センサー１３と給水温度センサー１４が排ガス温度と給水温度を夫々検出し、多管式貫流ボイラ１の運転条件（燃焼量、空気過剰率及び給水量等）から排ガスＧと補給水Ｗが熱交換した際の顕熱と潜熱の収支が算出される。例えば、ボイラ燃料として天然ガス１３Ａを空気過剰率１．２にて燃焼させたとき、排ガスＧ中には水分が１５．３％ｖｏｌ（絶対湿度０．９９ｋｇ／ｋｇＷＧ）含まれており、排ガスＧの露点は約６０℃となっている。多管式貫流ボイラ１からの排ガスＧが補給水Ｗと直接熱交換した際に、これらの平衡温度が排ガスＧの露点以下であれば、排ガスＧ中の水分が凝縮されるので、補給水Ｗは排ガスＧから顕熱と潜熱を回収することができ、又、排ガスＧの露点以上であれば、補給水Ｗが蒸発するので、補給水Ｗは排ガスＧから顕熱を回収するが、潜熱を奪われることになる。
従って、排ガスＧと補給水Ｗが熱交換した際の潜熱と顕熱の収支条件により、補給水Ｗが排ガスＧから熱を回収できると判断した場合、制御装置１５により給水管用開閉弁１１が開放されると共に、分岐給水管用開閉弁１２が閉鎖される。これによって、補給水Ｗは、噴霧ノズル１７からケーシング１６内に微粒噴霧され、排ガスＧとの直接接触により熱交換されて排ガスＧから顕熱と線熱を回収する。又、補給水Ｗが排ガスＧに熱を奪われると判断した場合、制御装置１５により給水管用開閉弁１１が閉鎖されると共に、分岐給水管用開閉弁１２が開放される。これによって、補給水Ｗは、分岐給水管７から直接エコノマイザ２へ供給され、ここで排ガスＧと熱交換されて排ガスＧから熱を回収する。
【００２０】
次に、上述した排熱回収装置を用いて多管式貫流ボイラ１から排出された排ガスＧから熱回収を行う場合について説明する。
【００２１】
多管式貫流ボイラ１から排出された排ガスＧは、エコノマイザ２を通過してスクラビング排熱回収装置４内へ導かれる。このとき、排ガス温度センサー１３及び給水温度センサー１４によりエコノマイザ２を通過した排ガスＧの温度とスクラビング排熱回収装置４へ供給される補給水Ｗの温度とが検出されていると共に、多管式貫流ボイラ１の燃焼量、空気過剰率及び給水量等から排ガスＧと補給水Ｗが熱交換した際の顕熱と潜熱の収支が算出されており、潜熱と顕熱の収支条件によって、給水管用開閉弁１１及び分岐給水管用開閉弁１２が制御装置１５により適宜に開閉制御されている。
【００２２】
例えば、補給水Ｗが排ガスＧから熱を回収できると判断した場合、制御装置１５により給水管用開閉弁１１が開放されると共に、分岐給水管用開閉弁１２が閉鎖される。これによって、補給水Ｗは、上流側給水管５を通ってスクラビング排熱回収装置４へ供給され、ここで噴霧ノズル１７からケーシング１６内に微粒噴霧され、排ガスＧとの直接接触により熱交換されて排ガスＧから顕熱と線熱を回収する。このとき、補給水Ｗは、排ガスＧと直接接触するため、排ガスＧ中の酸素や炭酸ガス、酸性成分を吸収してｐＨ値が低下し、スケールの原因となる補給水Ｗ中の炭酸塩の一部や補給水Ｗ中に炭酸水素イオンとして溶存している炭酸ガス成分が炭酸ガス化する。又、排ガスＧは、排ガスＧ中の炭酸ガスや酸性成分が補給水Ｗに吸収されるため、炭酸ガスや酸性成分が少ない状態でスクラビング排熱回収装置４から排出される。
【００２３】
排ガスＧとの直接接触により排ガスＧから潜熱と顕熱を奪った補給水Ｗは、下流側給水管６からブースターポンプ９を介して脱気装置８内へ送られ、ここで補給水Ｗ中に含まれている溶存ガス（炭酸ガス及び酸素）や酸性成分（硫黄分、窒素分等の燃料に含まれる酸性成分や燃焼で発生する酸性成分）が分離された後、給水ポンプ１０によりエコノマイザ２及び多管式貫流ボイラ１へ順次供給される。
尚、脱気装置８内では、補給水Ｗ中の炭酸塩の一部や補給水Ｗ中に炭酸水素イオンとして溶存している炭酸ガス成分が炭酸ガス化しているため、炭酸ガスや酸素等を確実に分離することができる。
【００２４】
一方、補給水Ｗが排ガスＧに熱を奪われると判断した場合、制御装置１５により給水管用開閉弁１１が閉鎖されると共に、分岐給水管用開閉弁１２が開放される。これによって、補給水Ｗは、分岐給水管７から給水ポンプ１０により直接エコノマイザ２へ供給され、ここで排ガスＧと熱交換されて排ガスＧから熱を回収した後、多管式貫流ボイラ１へ供給される。
【００２５】
上述した排熱回収装置を蒸発量２ｔｏｎ／ｈｏｕｒの小型貫流ボイラに取り付け、当該小型貫流ボイラをボイラ燃料として天然ガス１３Ａを燃焼負荷率５０％にて運転したとき、排ガスＧ中の水分量は約１００ｋｇ／ｈｏｕｒとなる。このとき、排ガスＧ温度６０℃、ボイラの補給水Ｗの温度２０℃とした場合、凝縮量は約２０ｋｇ／ｈｏｕｒとなり、潜熱及び顕熱の熱回収によりボイラ効率を約２％向上できることが実験により確認された。
【００２６】
図２は本発明の第２の実施の形態に係る排熱回収装置の概略系統図を示すものであり、当該排熱回収装置は、スクラビング排熱回収装置４を通過した排ガスＧの一部をパージガスＧａとして脱気装置８内へ導くと共に、脱気装置８で分離された溶存ガスＧｂ及びパージガスＧａを多管式貫流ボイラ１のブロー水Ｗａ中へ曝気するようにしたものである。
即ち、前記排熱回収装置は、スクラビング排熱回収装置４を通過した排ガスＧの一部を脱気装置８内へ導き、補給水Ｗに排ガスＧ中の炭酸ガスや酸素を吸収させて補給水ＷのｐＨ値を低下させ、補給水Ｗ中の炭酸塩や炭酸水素イオンを炭酸ガス化して脱気装置８による炭酸ガスや酸素の分離を促進させると共に、脱気装置８で分離された炭酸ガスや酸素、パージガスＧａを多管式貫流ボイラ１から排出されるアルカリ性のブロー水Ｗａ中に曝気してブロー水Ｗａを中和処理するようにしたものである。
この排熱回収装置に於いては、排ガスＧの一部をパージガスＧａとして脱気装置８へ導くと共に、脱気装置８で分離された溶存ガスＧｂ及びパージガスＧａを多管式貫流ボイラ１のブロー水Ｗａ中へ曝気するようにしたこと以外は、図１に示す排熱回収装置と同様構造に構成されており、図１の排熱回収装置と同じ部位・部材には同一の参照番号を付し、その詳細な説明を省略する。
【００２７】
図３及び図４はスクラビング排熱回収装置４の他の例を示すものであり、図３はトレー１９から流下する補給水Ｗに排ガスＧを直接接触させて熱交換を行うトレー式のスクラビング排熱回収装置４、図４は充填層２０に補給水Ｗを噴霧して充填層２０内で排ガスＧと補給水Ｗを直接接触させて熱交換を行う充填層式のスクラビング排熱回収装置４である。
【００２８】
即ち、トレー方式のスクラビング排熱回収装置４は、図３に示す如く、排ガス通路３に接続される排ガスＧの入口１６ａ及び出口１６ｂを有し、エコノマイザ２を通過した排ガスＧが流入するケーシング１６と、ケーシング１６内に上下方向へ多段に配設され、補給水Ｗを貯留して流下させる複数のトレー１９とを備えており、補給水Ｗを最上段のトレー１９から最下段のトレー１９へ段階的に流下させ、その間に排ガスＧと補給水Ｗとを直接接触させて熱交換させるようにしたものである。
又、充填層式のスクラビング排熱回収装置４は、図４に示す如く、排ガス通路３に接続される排ガスＧの入口１６ａ及び出口１６ｂを有し、エコノマイザ２を通過した排ガスＧが流入するケーシング１６と、ケーシング１６内にペレット状のセラミックス製の固体２０ａを充填して成る充填層２０と、充填層２０を支持する金網やパンチングメタル等のスクリーン２１と、ケーシング１６内に配設され、充填層２０へ補給水Ｗを噴霧する噴霧ノズル１７とを備えており、噴霧ノズル１７から充填層２０へ補給水Ｗを噴霧し、充填層２０内を流下する補給水Ｗと充填層２０内を底部から上部へ通過する排ガスＧとを充填層２０内で直接接触させて熱交換させるようにしたものである。
これらトレー式又は充填層式のスクラビング排熱回収装置４も、図１に示す水噴霧式のスクラビング排熱回収装置４と同様の作用効果を奏することができる。
【００２９】
尚、上記実施の形態に於いては、排熱回収装置を多管式貫流ボイラ１に設けるようにしたが、排熱回収装置は多管式貫流ボイラ１のみならず、循環式ボイラや温水ボイラ等の全てのボイラ、或いは温水を発生させる給湯器にも設けることができる。
【００３０】
又、上記実施の形態に於いては、脱気装置８に膜脱気装置を使用するようにしたが、他の実施の形態に於いては、脱気装置８に加熱脱気装置や真空脱気装置を使用するようにしても良い。
【００３１】
更に、上記実施の形態に於いては、上流側給水管５及び分岐給水管７に給水管用開閉弁１１及び分岐給水管用開閉１２弁を夫々設け、給水管用開閉弁１１及び分岐給水管用開閉弁１２を夫々開閉制御することにより補給水Ｗを流す方向を切り換え制御するようにしたが、他の実施の形態に於いては、上流側給水管５と分岐給水管７との接続部分に三方弁等の切換え弁（図示省略）を設け、一台の切換え弁で補給水Ｗを流す方向を切り換え制御するようにしても良い。
【図面の簡単な説明】
【００３２】
【図１】本発明の第１の実施の形態に係る排熱回収装置の概略系統図である。
【図２】本発明の第２の実施の形態に係る排熱回収装置の概略系統図である。
【図３】スクラビング排熱回収装置の他の例を示すものであり、トレー式のスクラビング排熱回収装置の概略縦断面図である。
【図４】スクラビング排熱回収装置の更に他の例を示すものであり、充填層式のスクラビング排熱回収装置の概略縦断面図である。
【符号の説明】
【００３３】
１は多管式貫流ボイラ、２はエコノマイザ、４はスクラビング排熱回収装置、５は上流側給水管、６は下流側給水管、７は分岐給水管、８は脱気装置、１３は排ガス温度センサー、１４は給水温度センサー、１６はケーシング、１７は噴霧ノズル、１９はトレー、２０は充填層、２０ａはペレット状の固体、Ｇは排ガス、Ｇａはパージガス、Ｇｂは溶存ガス、Ｗは補給水、Ｗａはブロー水。
【図１】
2005164118.tif 000003
【図２】
2005164118.tif 000004
【図３】
2005164118.tif 000005
【図４】
2005164118.tif 000006